(57)【要約】【課題】両板材の位置合わせが正確かつ容易に行え、かつ、均一なＲ面を形成して十分な溶接強度を得ることができる角継手の溶接方法を提供する。【解決手段】一方の板部材に他方の板部材を突き合わせて角継手を形成して溶接を行う角継手の溶接方法であって、一方の板部材の端面に切り欠きを入れる端面加工を施して用意する工程と、他方の板部材を用意する工程と、一方の板部材の端面の切り欠きに、他方の板部材を組み込んで角継手を形成する工程と、角継手にレーザ溶接を行う工程と、を有する。【選択図】 図２
2019195823.tif 000002
【特許請求の範囲】
【請求項１】
一方の板部材に他方の板部材を突き合わせて角継手を形成して溶接を行う角継手の溶接方法であって、前記一方の板部材の端面に端面加工を施し、その端面加工に合せて前記他方の板部材の突き合わせを行って角継手を形成することを特徴とする角継手の溶接方法。
【請求項２】
前記角継手に対してレーザ溶接を行うことを特徴とする請求項１に記載の角継手の溶接方法。
【請求項３】
前記端面加工は、前記他方の板部材が位置決め容易な形状であることを特徴とする請求項１および２のいずれかに記載の角継手の溶接方法。
【請求項４】
前記角継手において前記一方の板部材の露出幅と、前記他方の板部材の露出幅とが同じとなるように、前記端面加工が施されることを特徴とする請求項１〜３のいずれかに記載の角継手の溶接方法。
【請求項５】
前記角継手に対し常に一定の位置と一定の角度でレーザ照射することを特徴とする請求項２〜４のいずれかに記載の角継手の溶接方法。
【発明の詳細な説明】
【技術分野】
【０００１】
本発明は、レーザによる角継手の溶接方法に関するものである。
【背景技術】
【０００２】
従来から、高品質なＲ面溶接を得るためにファイバレーザで角継手を溶接する方法が知られている。
【０００３】
例えば、直角の角継手の場合に、高品質なＲ面溶接を形成するために、一方の板部材の端面上に、他方の板部材の端部の内面側を当接させてつき合わせる。その際、一方の板部材の端面の一部が露出するように、他方の板部材の端部を引き、その状態で、その角継手にファイバレーザを照射して溶接を行う方法が提案されている（特許文献１、２）。
【０００４】
その場合、一方の板部材の端面の半分だけ他方の板部材の端部を引いて半分を重ねる１/２引きや一方の板部材の端面の１/３だけ他方の板部材の端部を引いて２/３を重ねる１/３引きが知られていた。図１０に、１/３引きの角継手溶接の一例を示す。
【０００５】
図１０は、従来の１/３引きの角継手溶接の概略説明図である。
【先行技術文献】
【特許文献】
【０００６】
【特許文献１】特開平１−１８１９７０号公報
【特許文献２】特開２０１５−６１４３３号公報
【発明の概要】
【発明が解決しようとする課題】
【０００７】
しかしながら、上述のような一方の板部材の端面上において他方の板部材の端部を引いて溶接を行う方法では、以下のような問題点があった。
【０００８】
一方の板部材を引いた角継手溶接では、板部材の長さが長いと、その長手方向に沿った双方の板部材の位置合わせが難しく、一方の板部材の端面と他方の板部材の端部の内面との重ね量が不均一になり易く、溶接不良の原因となってしまっていた。
【０００９】
すなわち、重ね量が不均一になった結果、重ね量が少ない場所では、照射されたファイバレーザが裏側へ抜けてしまい、十分に広いＲ面が形成されず、十分な溶接強度を得ることができない問題があった。
【００１０】
また、一方の板部材を引いた角継手溶接では、１/２引きであっても、１/３引きであっても、一方の板部材の端面の露出部の広さと、他方の板部材の端面の広さとが異なるため、溶接において均等な肉盛りができず、Ｒ面が偏ってしまい、Ｒ面の端部にエッジができてしまい、外観の品質を損なう問題があった。
【００１１】
そのため、一方の板部材を引いた角継手溶接では、図１０に示すように、レーザＬＢの照射角度や照射位置を常に変える必要があった。
【００１２】
また、一方の板部材の端面上において他方の板部材の端部を引いて位置合わせをしても、その合わせ位置が簡単にずれてしまうため、仮止め作業等をして固定しなければならない欠点もあった。
【００１３】
本発明は、上記した事情に着目してなされたものであり、その目的とするところは、両板材の位置合わせが正確かつ容易に行える角継手の溶接方法を提供することである。
【課題を解決するための手段】
【００１４】
本発明は上述の問題を解決するためのものであり、以下の特徴を有する方法である。
【００１５】
１）一方の板部材に他方の板部材を突き合わせて角継手を形成して溶接を行う角継手の溶接方法であって、前記一方の板部材の端面に端面加工を施し、その端面加工に合せて前記他方の板部材の突き合わせを行って角継手を形成する角継手の溶接方法である。
【００１６】
２）前記１）の発明は好ましくは、前記角継手に対してレーザ溶接を行う角継手の溶接方法である。
【００１７】
３）前記１）、２）いずれかの発明は好ましくは、前記端面加工が、前記他方の板部材が位置決め容易な形状である角継手の溶接方法である。
【００１８】
４）前記１）〜３）のいずれかの発明は好ましくは、前記角継手において前記一方の板部材の露出幅と、前記他方の板部材の露出幅とが同じとなるように、前記端面加工が施される角継手の溶接方法である。
【００１９】
５）前記２）〜４）のいずれかの発明は好ましくは、前記角継手に対し常に一定の位置と一定の角度でレーザ照射する角継手の溶接方法である。
【発明の効果】
【００２０】
本発明によれば、両板材の位置合わせが正確かつ容易に行える。
【図面の簡単な説明】
【００２１】
【図１】本発明に係わる端面加工された板部材の実施形態を示す図であり、（ａ）は、板部材の斜視図であり、（ｂ）は、板部材の側面図であり、（ｃ）は、端面加工された板部材の端部の拡大図である。
【図２】本発明に係わる角継手の溶接方法の一実施形態の動作フローチャートである。
【図３】板部材１の両辺３、５において切り欠きを形成する方法の一例を断面で示した説明図である。
【図４】板材の板厚ｈと、切り欠き７の所定の幅寸法ｃおよび所定の深さ寸法ｄとの具体例を示すテーブル図である。
【図５】端面加工が施された一方の板部材１と同じ板厚の他方の板部材１３の側面図である。
【図６】一方の板部材１の切り欠き７に、他方の板部材１３の端部９を組み込んで直角の角継手合わせを行う説明図であり、（ａ）は、切り欠き７に端部９を組む込む様子を示した説明図であり、（ｂ）は、一方の板部材１に他方の板部材１３が係合した状態を示す説明図である。
【図７】レーザ光による角継手溶接の説明図であり、（ａ）は、角継手にレーザ光を照射している様子を示した説明図であり、（ｂ）は、角継手溶接により形成されたＲ面を示す説明図である。
【図８】一方の板部材１の切り欠き７ａに、他方の板部材１３の端部９を組み込んで直角の角継手合わせとした変形例の説明図であり、（ａ）は、切り欠き７ａに端部９を組む込む様子を示した説明図であり、（ｂ）は、一方の板部材１に他方の板部材１３が係合した状態を示す説明図である。
【図９】一方の板部材１の切り欠き７ａに、他方の板部材１３の端部９ａを組み込んで直角以外の角継手合わせとした変形例の説明図であり、（ａ）は、切り欠き７ａに端部９ａを組む込む様子を示した説明図であり、（ｂ）は、一方の板部材１に他方の板部材１３が係合した状態を示す説明図である。
【図１０】従来の１/３引きの角継手溶接の概略説明図である。
【発明を実施するための形態】
【００２２】
本願発明は、２つの部材を付き合わせて角継手溶接を行う場合に、一方の部材の端面に端面加工を施して、その端面加工部分に、他方の部材の端部を角継手合わせを行うようにしたものである。
【００２３】
まず、一方の部材の端面加工の実施形態から説明する。
【００２４】
図１は、本発明に係わる端面加工された板部材の実施形態を示す図であり、（ａ）は、板部材の斜視図であり、（ｂ）は、板部材の側面図であり、（ｃ）は、端面加工された板部材の端部の拡大図である。
【００２５】
図１（ａ）、（ｂ）に示すように、この板部材１は、長方形状となっており、長手方向の両辺３、５に端面加工が施されている。この端面加工は、後述するように、他方の板部材１３が位置決め容易な形状となっている。
【００２６】
図１（ｃ）に示すように、この板部材１の両辺３、５においては、所定の深さ寸法ｄおよび所定の幅寸法ｃだけ切り欠き７が入れられている。この切り欠き７に、他方の板部材１３の端部９が組み込まれて直角の角継手合わせが行われる（図６参照）。
【００２７】
次に、図２を参照して、本発明に係わる角継手の溶接方法の一実施形態について説明する。
【００２８】
図２は、本発明に係わる角継手の溶接方法の一実施形態の動作フローチャートである。
【００２９】
ステップ１０１において、一方の板部材１の端部に端面加工を施して用意する。
【００３０】
板部材１の両辺３、５において切り欠きを形成する方法の一例を説明する。ここでは、複数枚の板部材１を形成する方法を採用する。
【００３１】
図３は、板部材１の両辺３、５において切り欠きを形成する方法の一例を断面で示した説明図である。
【００３２】
図３に示すように、長尺の板材の所定部分に、例えば、パンチングマシンで切り欠き金型等を使用したプレーナー加工により所定幅の溝部１１を形成する。ここで、溝部１１の所定幅Ｗが、切り欠き７の所定の幅寸法ｃの２倍の幅となり、溝部１１の深さが、切り欠き７の所定の深さ寸法ｄとなるように形成する。この実施形態では、切り欠き７の所定の幅寸法ｃおよび所定の深さ寸法ｄは、板部材１の板厚の半分（１/２）に設定されている。
【００３３】
なお、溝部１１の所定幅および深さは、後述するように、一方の板部材１および他方の板部材１３の板厚によって変更され得る。
【００３４】
すなわち、一方の板部材１の露出幅Ｂと、他方の板部材１３の露出幅Ｄとが同じとなるように設定され得る（図７（ａ）参照）。
【００３５】
そして、図３に示すように、レーザ切断加工等により溝部１１の真ん中Ａで切り分ける。このようにして、両辺３、５において切り欠きが形成された板部材１が複数枚出来上がる。
【００３６】
図４は、板材の板厚ｈと、切り欠き７の所定の幅寸法ｃおよび所定の深さ寸法ｄとの具体例を示すテーブル図である。
【００３７】
次に、ステップ１０３において、一方の板部材１に組合せる他方の板部材１３を用意する。
【００３８】
図５は、端面加工が施された一方の板部材１と同じ板厚の他方の板部材１３の側面図である。
【００３９】
すなわち、この実施形態では、図５に示すように、一方の板部材１と同じ板厚の他方の板部材１３が用意される。
【００４０】
なお、後述するように、他方の板部材１３の板厚を、一方の板部材１の板厚と異なる板厚とすることもできる。
【００４１】
ステップ１０５において、一方の板部材１の切り欠き７に、他方の板部材１３の端部９を組み込んで（係合して）角継手合わせを行う。
【００４２】
図６は、一方の板部材１の切り欠き７に、他方の板部材１３の端部９を組み込んで直角の角継手合わせを行う説明図であり、（ａ）は、切り欠き７に端部９を組み込む様子を示した説明図であり、（ｂ）は、一方の板部材１に他方の板部材１３が係合した状態を示す説明図である。
【００４３】
まず、図６（ａ）に示すように、一方の板部材１の切り欠き７に他方の板部材１３の端部９を位置合わせしながら、切り欠き７に端部９を組み込む。
【００４４】
この組み込み作業において、板部材１および板部材１３が長尺の板材である場合でも、一方の板部材１の切り欠き７を目安にして、その切り欠き７に他方の板部材１３の端部９が収まるように位置合わせすれば良いので、双方の板部材の位置合わせが簡単になる。
【００４５】
それにより、一方の板部材１の端部と他方の板部材１３の端部９との重ね量も、板部材１、１３の長さ方向で均一となり、正確な位置合わせが達成できる。
【００４６】
また、切り欠き７に端部９が組み込まれているため、一度位置合わせすれば、簡単にはその合わせ位置がずれたりせず、仮止め作業をする必要も無くなる。
【００４７】
この実施形態の場合、図１（ｃ）に示すように、一方の板部材１の切り欠き７が、板部材１の板厚の半分（１/２）の深さ寸法ｄで、板部材１の板厚の半分（１/２）の幅寸法ｃで形成されている。
【００４８】
そのため、一方の板部材１の端部と他方の板部材１３の端部９との重ね量は、深さ方向および幅方向共に、板部材１の板厚の半分（１/２）の寸法となる。
【００４９】
次に、ステップ１０７において、レーザ照射により角継手の溶接を行う。
【００５０】
なお、この実施形態では、直角の角継手を例にとって説明したが、直角以外の角継手でも良い。
【００５１】
図７は、レーザ光による角継手溶接の説明図であり、（ａ）は、角継手にレーザ光を照射している様子を示した説明図であり、（ｂ）は、角継手溶接により形成されたＲ面を示す説明図である。
【００５２】
図７（ａ）に示すように、角継手に向かって所定の照射角でファイバレーザによるレーザ光ＬＢを照射して角継手の溶接が行われる。ここで、所定の照射角は４５°となっている。
【００５３】
このような角継手溶接によれば、重ね量が均一となるため、照射されたファイバレーザが裏側へ抜けてしまうことなく、図７（ｂ）に示すように、十分に均一なＲ面Ｇが形成される。
【００５４】
すなわち、図７（ａ）に示すように、一方の板部材１と他方の板部材１３とは同じ板厚であり、双方の重ね量は、図１（ｃ）で説明したように、板厚の１/２となっている。そのため、図７（ａ）に示すように、角継手における一方の板部材１の露出幅Ｂ（寸法ｄと同じ）と、他方の板部材１３の露出幅Ｄ（寸法ｃと同じ）とは、同じ板厚の１/２（もしくは、ほぼ１/２）となる。
【００５５】
また、図７（ａ）に示すように、角継手における一方の板部材１の露出幅Ｂと、他方の板部材１３の露出幅Ｄとは、同じ板厚の１/２となるので、溶融幅Ｅも、従来の１/２引きあるいは１/３引きのものより小さくできる。
【００５６】
上述のように、この実施形態によれば、一方の板部材１に切り欠き７を設け、その切り欠き７を目安にして、その切り欠き７に他方の板部材１３の端部９が収まるように位置合わせしているので、双方の板部材の位置合わせが簡単かつ正確になり、一方の板部材１の端部と他方の板部材１３の端部９との重ね量も、板部材１、１３の長さ方向で均一となり、正確な位置合わせが達成できる。
【００５７】
さらに、角継手における一方の板部材１の露出幅Ｂと、他方の板部材１３の露出幅Ｄとが同じとなるように、切り欠き７を形成しているので、均一なＲ面Ｇが形成でき、照射位置および照射角度を変える必要なく、角継手に対し常に一定の位置と一定の角度でレーザ照射すれば良いこととなる。すなわち、この実施形態では、常に角継手の中央に４５°で照射すれば良いので、不毛な操作や制御が不要になる。
【００５８】
また、１/２引や１/３引きに比べ、溶接箇所の部材量が多いため高出力でも抜けにくくなる。それによって大きなＲ面の外観の作成も可能になる。
【００５９】
前記実施形態によれば、両板材の位置合わせが正確かつ容易に行え、かつ、均一なＲ面Ｇを形成して十分な溶接強度を得ることができる。
【００６０】
この発明は前述の発明の実施の形態に限定されることなく、適宜な変更を行うことにより、その他の態様で実施し得るものである。
【００６１】
この実施形態では、双方の板部材の板厚を同じとしたが、本発明は、双方の板部材の板厚が異なる場合も適応できる。
【００６２】
例えば、一方の板部材１の板厚を１.２ｍｍとし、他方の板部材１３の板厚を１.６ｍｍとした場合、一方の板部材１の露出幅Ｂと、他方の板部材１３の露出幅Ｄとが共に０.６ｍｍとなるように、一方の板部材１の切り欠き７の幅寸法ｃを、１ｍｍと設定する。
【００６３】
また、一方の板部材１の板厚を１.２ｍｍとし、他方の板部材１３の板厚を１.６ｍｍとした場合、一方の板部材１の露出幅Ｂと、他方の板部材１３の露出幅Ｄとが同じ幅である０.７ｍｍとなるように、一方の板部材１の切り欠き７の幅寸法ｃを、０.９ｍｍと設定することもできる。
【００６４】
ただし、レーザ溶接におけるファイバレーザの裏側へ抜けを考慮すると、一方の板部材１の切り欠き７の深さ寸法ｄは、一方の板部材１の板厚の半分に近い所定値であることが望ましい。
【００６５】
前記角継手の溶接方法の実施形態によれば、両板材の位置合わせが正確かつ容易に行え、かつ、均一なＲ面Ｇを形成して十分な溶接強度を得ることができる。
【００６６】
また、この実施形態の場合、直角の角継手となっていたが、本発明は、直角以外の角継手にも適用できる。
【００６７】
また、この実施形態の場合、切り欠きが直角の角継手となっていたが、本願発明は、切り欠きが鈍角形状等であっても、他方の板部材が位置決め容易に形成されていれば良い。
【００６８】
以下に、切り欠きが鈍角形状の場合の変形例について説明する。
【００６９】
図８は、一方の板部材１の切り欠き７ａに、他方の板部材１３の端部９を組み込んで直角の角継手合わせとした変形例の説明図であり、（ａ）は、切り欠き７ａに端部９を組む込む様子を示した説明図であり、（ｂ）は、一方の板部材１に他方の板部材１３が係合した状態を示す説明図である。
【００７０】
この変形例では、図８に示すように、一方の板部材１の切り欠き７ａが鈍角形状となっており、その切り欠き７ａに、他方の板部材１３が係合するようになっている。
【００７１】
この変形例によっても、一方の板部材１の切り欠き７ａを目安にして、その切り欠き７ａに他方の板部材１３の端部９が収まるように位置合わせしているので、双方の板部材の位置合わせが簡単かつ正確になり、一方の板部材１の端部と他方の板部材１３の端部９との重ね量も、板部材１、１３の長さ方向で均一となり、正確な位置合わせが達成できる。
【００７２】
さらに、角継手における一方の板部材１の露出幅と、他方の板部材１３の露出幅とが同じとなるように、切り欠き７ａを形成しているので、均一なＲ面Ｇが形成でき、照射位置および照射角度を変える必要なく、例えば常に中央に４５°で照射すれば良いので、不毛な操作や制御が不要になる。
【００７３】
図９は、一方の板部材１の切り欠き７ａに、他方の板部材１３の端部９ａを組み込んで直角以外の角継手合わせの変形例の説明図であり、（ａ）は、切り欠き７ａに端部９ａを組む込む様子を示した説明図であり、（ｂ）は、一方の板部材１に他方の板部材１３が係合した状態を示す説明図である。
【００７４】
この変形例では、図９に示すように、一方の板部材１の切り欠き７ａが鈍角形状となっており、その切り欠き７ａに、他方の板部材１３の鋭角に加工した端部９ａが係合し、鋭角の角継手を形成するようになっている。
【００７５】
この変形例によっても、一方の板部材１の切り欠き７ａを目安にして、その切り欠き７ａに他方の板部材１３の端部９ａが収まるように位置合わせしているので、双方の板部材の位置合わせが簡単かつ正確になり、一方の板部材１の端部と他方の板部材１３の端部９との重ね量も、板部材１、１３の長さ方向で均一となり、正確な位置合わせが達成できる。
【００７６】
さらに、角継手における一方の板部材１の露出幅と、他方の板部材１３の露出幅とが同じとなるように、切り欠き７ａを形成しているので、均一なＲ面Ｇが形成でき、照射位置および照射角度を変える必要なく、例えば常に中央に４５°で照射すれば良いので、不毛な操作や制御が不要になる。
【符号の説明】
【００７７】
１…一方の板部材
３、５…板部材１の両辺
７…切り欠き
９…端部
１１…溝部
１３…他方の板部材
【図１】
2019195823.tif 000003
【図２】
2019195823.tif 000004
【図３】
2019195823.tif 000005
【図４】
2019195823.tif 000006
【図５】
2019195823.tif 000007
【図６】
2019195823.tif 000008
【図７】
2019195823.tif 000009
【図８】
2019195823.tif 000010
【図９】
2019195823.tif 000011
【図１０】
2019195823.tif 000012
【手続補正書】
【提出日】令和1年9月10日(2019.9.10)
【手続補正１】
【補正対象書類名】特許請求の範囲
【補正対象項目名】全文
【補正方法】変更
【補正の内容】
【特許請求の範囲】
【請求項１】
一方の板部材に他方の板部材を突き合わせて角継手を形成して溶接を行う角継手の溶接方法であって、前記一方の板部材の端面に端面加工を施し、その端面加工に合せて前記他方の板部材の突き合わせを行って角継手を形成し、常に前記角継手の中央に４５°でレーザ照射して、前記角継手に対してレーザ溶接を行うことを特徴とする角継手の溶接方法。
【請求項２】
前記端面加工は、前記他方の板部材が位置決め容易な形状であることを特徴とする請求項１に記載の角継手の溶接方法。
【請求項３】
前記角継手において前記一方の板部材の露出幅と、前記他方の板部材の露出幅とが同じとなるように、前記端面加工が施されることを特徴とする請求項１、２のいずれかに記載の角継手の溶接方法。
【手続補正２】
【補正対象書類名】明細書
【補正対象項目名】００１５
【補正方法】変更
【補正の内容】
【００１５】
１）一方の板部材に他方の板部材を突き合わせて角継手を形成して溶接を行う角継手の溶接方法であって、前記一方の板部材の端面に端面加工を施し、その端面加工に合せて前記他方の板部材の突き合わせを行って角継手を形成し、常に前記角継手の中央に４５°でレーザ照射して、前記角継手に対してレーザ溶接を行う角継手の溶接方法。
【手続補正３】
【補正対象書類名】明細書
【補正対象項目名】００１６
【補正方法】変更
【補正の内容】
【００１６】
２）前記１）の発明は好ましくは、前記端面加工は、前記他方の板部材が位置決め容易な形状である角継手の溶接方法である。
【手続補正４】
【補正対象書類名】明細書
【補正対象項目名】００１７
【補正方法】変更
【補正の内容】
【００１７】
３）前記１）、２）のいずれかの発明は好ましくは、前記角継手において前記一方の板部材の露出幅と、前記他方の板部材の露出幅とが同じとなるように、前記端面加工が施される角継手の溶接方法である。
【手続補正５】
【補正対象書類名】明細書
【補正対象項目名】００１８
【補正方法】削除
【補正の内容】
【手続補正６】
【補正対象書類名】明細書
【補正対象項目名】００１９
【補正方法】削除
【補正の内容】